(57)【要約】【課題】この発明は、カバー部材を視認窓に対して容易に配置できる回転コネクタ装置提供することを目的とする。【解決手段】回転コネクタ装置本体２は、ロテータ１０とステータ２０とが、相対回転可能に組み付けられ、内部にＦＦＣ１００を収容可能な収容空間Ｓを有し、回転コネクタ装置本体２の外部から収容空間Ｓを見るための貫通孔である視認窓４０と、視認窓４０を覆うように視認窓４０に配置されたカバー部材５０と、回転コネクタ装置本体２の外部に向く、カバー部材５０の外側面に当接可能に配置された外側規制部６２３と、収容空間Ｓに向く、カバー部材５０の内側面に当接可能に配置された内側規制部６１とを有し、カバー部材５０は、外側規制部６２３と内側規制部６１との間に配置されている。
2019070012.tif 000002
【特許請求の範囲】
【請求項１】
環状の回転側リング板及び該回転側リング板の内周縁に形成された円筒状の内周筒部を有する回転体と、環状の固定側リング板及び該固定側リング板の外周縁に形成された円筒状の外周筒部を有する固定体とが、相対回転可能に組み付けられ、内部に収容空間を有する回転コネクタ装置であって、
前記回転コネクタ装置の外部から前記収容空間を見るための貫通孔である視認窓と、
前記視認窓を覆うように前記視認窓に配置され、透明かつ可撓性を有するカバー部材と、
前記回転コネクタ装置の外部に向く、前記カバー部材の外側面に当接可能に配置された外側規制部と、
前記収容空間に向く、前記カバー部材の内側面に当接可能に配置された内側規制部とを有し、
前記カバー部材は、前記外側規制部と前記内側規制部との間に配置された
回転コネクタ装置。
【請求項２】
前記外側規制部は、前記視認窓に関して互いに対向して配置された第一外側規制部と第二外側規制部とを有し、前記第一外側規制部と前記第二外側規制部との間の第一最短距離は、前記カバー部材が前記視認窓に配置された状態において前記第一最短距離に対向する前記カバー部材の長さより短くなるように構成された請求項１に記載の回転コネクタ装置。
【請求項３】
前記内側規制部は、前記視認窓に関して互いに対向して配置された第一内側規制部と第二内側規制部とを有し、前記第一内側規制部と前記第二内側規制部との間の第二最短距離は、前記カバー部材が前記視認窓に配置された状態において前記第二最短距離に対向する前記カバー部材の長さより短くなるように構成された請求項１に記載の回転コネクタ装置。
【請求項４】
前記外側規制部及び前記内側規制部の少なくとも一方が、前記カバー部材が前記貫通孔の貫通方向に向かって突出するように保持する形状保持部を有する
請求項１に記載の回転コネクタ装置。
【請求項５】
前記形状保持部は、前記カバー部材を前記貫通方向に向かって円弧状に突出するように保持するように構成された
請求項４に記載の回転コネクタ装置。
【請求項６】
前記形状保持部は、前記カバー部材を前記回転コネクタ装置の外部側に向かって突出するように保持する
請求項４に記載の回転コネクタ装置。
【請求項７】
前記外側規制部と前記内側規制部とは、前記カバー部材を前記視認窓に配置するための案内部を有する
請求項１に記載の回転コネクタ装置。
【請求項８】
前記カバー部材を係止する係止部が設けられた
請求項１に記載の回転コネクタ装置。
【請求項９】
前記係止部は、
前記カバー部材の復元力が作用する方向に設けた
請求項８に記載の回転コネクタ装置。
【請求項１０】
前記視認窓は、前記回転側リング板に設けられた
請求項１に記載の回転コネクタ装置。
【請求項１１】
前記外側規制部は、前記カバー部材が前記回転コネクタ装置の外部側に向かって動いたときに当接するように構成された請求項１に記載の回転コネクタ装置。
【請求項１２】
前記内側規制部は、前記カバー部材が前記視認窓に配置されたときに、前記カバー部材の内側面は前記内側規制部に当接するように構成された請求項１に記載の回転コネクタ装置。
【請求項１３】
前記外側規制部は、前記カバー部材が前記視認窓に配置されたときに、前記カバー部材の外側面は前記外側規制部に当接するように構成された請求項１に記載の回転コネクタ装置。
【請求項１４】
前記内側規制部は、前記カバー部材が前記視認窓に配置されたときに、前記カバー部材の内側面は前記内側規制部に当接するように構成され、
前記外側規制部は、前記カバー部材が前記視認窓に配置されたときに、前記カバー部材の外側面は前記外側規制部に当接するように構成された請求項１に記載の回転コネクタ装置。
【請求項１５】
回転体と、固定体とを、内部に収容空間を有するように相対回転可能に組み付け、
回転コネクタ装置の外部から前記収容空間を見るための貫通孔である視認窓を設け、
前記視認窓の周縁に外側規制部およびに内側規制部を設け、
透明かつ可撓性を有するカバー部材を、撓ませた状態で前記外側規制部を通過させて、前記視認窓を覆うように前記外側規制部と前記内側規制部との間に配置し、前記外側規制部は前記回転コネクタ装置の外部に向く前記カバー部材の外側面に当接可能であり、前記内側規制部は前記収容空間に向く前記カバー部材の内側面に当接可能である
回転コネクタ装置の組立方法。
【発明の詳細な説明】
【技術分野】
【０００１】
この発明は、自動車等の車両本体に装着される回転コネクタ装置及び、回転コネクタ装置の組立方法に関する。
【背景技術】
【０００２】
自動車等の車両に装着される回転コネクタ装置は、主に車体側に固定する固定体と、ステアリングホイールを組み付ける回転体とを相対的に回転できるように同軸上に組み付けて構成しており、前記固定体と前記回転体とで形成する収容空間内には、フレキシブルフラットケーブル（以下においてＦＦＣという）をステアリングホイールの回転に追従して巻き締め及び巻き戻し可能に収容している。【０００３】
このような回転コネクタ装置は、車体に組み付ける際、あるいはステアリングホイールを組み付ける際に、前記回転体が前記固定体に対して相対回転して、前記回転コネクタ装置が中立位置から外れることがあった。この場合、ＦＦＣの巻き付け状態に偏りが生じることとなる。このように前記回転コネクタ装置の中立位置とステアリングホイールの回転方向の中立位置とにズレが生じたままこれらが組み付けられると、ステアリングホイールを所定の回転方向に操舵した際にＦＦＣの長さが足りずに、ステアリングホイールを所望の回転数だけ回転できないといった問題があった。【０００４】
このような問題に対して、回転コネクタ装置が中立位置にあるかを否か確認できる様々な回転コネクタ装置が提案されており、例えば特許文献１には、装置外部から収容空間を視認するための視認窓を回転コネクタ装置の天板である回転側リング板に設け、前記視認窓を覆うように透明のカバー部材を貼着したことを特徴とする回転コネクタ装置が開示されている。【０００５】
特許文献１に開示されている回転コネクタ装置によると、前記回転側リング板に設けた前記視認窓を覆うように、接着層を備えた透明なカバー部材を貼着することで、装置外部から前記視認窓を介して前記収容空間に巻き回されたＦＦＣを目視できる。このため、装置外部からＦＦＣに付した中立位置を示すマーカを視認でき、前記回転体が中立位置にあることを確認できるとされている。【０００６】
しかしながら、透明な前記カバー部材には前記接着層を設けられているため、前記カバー部材を前記視認窓に取り付ける前に前記接着層に異物やごみが付着し、前記視認窓の視認性が低下するおそれがあった。
【先行技術文献】
【特許文献】
【０００７】
【特許文献１】特開２０１０−１４６９４３号公報
【発明の概要】
【発明が解決しようとする課題】
【０００８】
この発明は、上述した問題を鑑み、視認窓の視認性の低下を防止できる回転コネクタ装置及び回転コネクタ装置の組立方法を提供することを目的とする。
【課題を解決するための手段】
【０００９】
この発明は、環状の回転側リング板及び該回転側リング板の内周縁に形成された円筒状の内周筒部を有する回転体と、環状の固定側リング板及び該固定側リング板の外周縁に形成された円筒状の外周筒部を有する固定体とが、相対回転可能に組み付けられ、内部に収容空間を有する回転コネクタ装置であって、前記回転コネクタ装置の外部から前記収容空間を見るための貫通孔である視認窓と、前記視認窓を覆うように前記視認窓に配置され、透明かつ可撓性を有するカバー部材と、前記回転コネクタ装置の外部に向く、前記カバー部材の外側面に当接可能に配置された外側規制部と、前記収容空間に向く、前記カバー部材の内側面に当接可能に配置された内側規制部とを有し、前記カバー部材は、前記外側規制部と前記内側規制部との間に配置されたことを特徴とする。【００１０】
またこの発明は、回転体と、固定体とを、内部に収容空間を有するように相対回転可能に組み付け、回転コネクタ装置の外部から前記収容空間を見るための貫通孔である視認窓を設け、前記視認窓の周縁に外側規制部およびに内側規制部を設け、透明かつ可撓性を有するカバー部材を、撓ませた状態で前記外側規制部を通過させて、前記視認窓を覆うように前記外側規制部と前記内側規制部との間に配置し、前記外側規制部は前記回転コネクタ装置の外部に向く前記カバー部材の外側面に当接可能であり、前記内側規制部は前記収容空間に向く前記カバー部材の内側面に当接可能である回転コネクタ装置の組立方法であることを特徴とする。【００１１】
前記視認窓は、前記装置外部から前記収容空間を視認できれば配置位置は限定されず、例えば、前記回転側リング板や、前記固定側リング板、前記内周筒部、前記外周筒部の他、前記回転側リング板と前記内周筒部とが形成する角部などに配置される場合を含む。  
なお、前記視認窓の形状も特に限定されず、矩形状や多角形状、円形状、楕円形状など様々な形状を含む。【００１２】
前記カバー部材は、前記視認窓からＦＦＣの中立位置を確認できればよく、前記視認窓を覆う構成や、前記視認窓に嵌め込んで塞ぐ構成などを含む。【００１３】
前記外側規制部及び前記内側規制部は、前記外側規制部及び前記内側規制部と当接することにより前記カバー部材の移動を規制する構成や、前記外側規制部と前記内側規制部で前記カバー部材を挟み込んで前記カバー部材の移動を規制する構成、前記カバー部材に対して前記外側規制部や前記内側規制部を離間させて配置し、例えば振動などで移動した前記カバー部材と干渉することで前記カバー部材が前記装置外部などに移動することを規制する構成を含む。【００１４】
また、上述の前記外側規制部又は前記内側規制部の少なくとも一方が、互いに向き合うように配置されるとは、例えばそれぞれ独立する２個の前記外側規制部又は内側規制部同士が互いに向き合うように配置されている場合や、前記視認窓の周方向に沿って一の外側規制部又は内側規制部が設けられ、前記外側規制部又は内側規制部の一部同士が互いに向き合うように配置されている場合などを含む。すなわち、前記外側規制部又は前記内側規制部の個数は必ずしも複数と限らない。【００１５】
この発明により、視認窓の視認性の低下を防止できる。  
詳述すると、屈曲された状態で前記カバー部材を保持空間に挿通することで、前記カバー部材を前記視認窓に対して所定の位置に配置できる。そして、前記カバー部材に対して作用させている外力を解除することで生じる前記カバー部材の復元力により、前記カバー部材が前記保持空間を形成する前記外側規制部などに当接して、前記カバー部材を前記保持空間に保持できる。【００１６】
また、前記外側規制部及び前記内側規制部を備えるとともに、前記カバー部材は、互いに向き合うように配置された前記外側規制部又は前記内側規制部の少なくとも一方同士の間隔よりも、前記カバー部材において対応する寸法が長く構成されていることで、前記保持空間に保持された前記カバー部材の前記装置外部側及び前記収容空間側への移動を規制でき、確実に前記視認窓に組み付けることができる。【００１７】
このように、前記カバー部材を撓ませた状態で前記保持空間に挿通させるだけで、容易に前記カバー部材を前記視認窓に配置できるとともに、前記視認窓に対して確実に保持することができるため、前記カバー部材を前記視認窓に取り付ける前に前記接着層を塗布する必要がなく、前記接着層に異物やごみが付着して、視認窓の視認性が低下することを防止できる。また、前記カバー部材を撓ませて前記保持空間に挿通させるだけで前記カバー部材を前記視認窓に対して配置できるため、作業を確実かつ迅速に行うことができる。【００１８】
この発明の態様として、前記外側規制部又は前記内側規制部の双方は、前記視認窓に対して互いに向き合うように配置された一対として構成してもよい。  
この発明により、前記視認窓に対して互いに向き合うように配置された位置に、前記保持空間が一対となって形成されるため、前記カバー部材の両端側を前記保持空間に挿通できるとともに、互いに向き合うように配置された前記外側規制部又は前記内側規制部とで前記カバー部材の前記装置外部側及び前記収容空間側への移動を規制できるため、前記カバー部材を前記保持空間に安定して保持できる。【００１９】
またこの発明の態様として、前記外側規制部又は前記内側規制部の少なくとも一方が、前記カバー部材を前記視認窓の連通方向に突出する円弧形状に保持する形状保持部で構成してもよい。  
上述の前記視認窓の連通方向に突出するとは、前記装置外部に向けて凸状となる場合や、凹状となる場合を含む。【００２０】
前記形状保持部は、前記外側規制部及び前記内側規制部の少なくとも一方を連続又は非連続の円弧形状とした構成や、前記外側規制部及び前記内側規制部との間に形成される前記保持空間が円弧状となるように前記外側規制部及び前記内側規制部とを円弧状に形成した構成などを含む。【００２１】
この発明によると、可撓性を有する前記カバー部材を円弧形状に形成できるため、前記カバー部材には円弧形状の径外側に向けた復元力が生じる。一方で、前記形状保持部は前記カバー部材の形状を円弧状に保持するように構成されているため、前記形状保持部には前記復元力により前記径外側に広がる前記カバー部材の一部が干渉して、前記カバー部材と前記形状保持部との間に摩擦力が生じることとなる。これにより、前記カバー部材は前記形状保持部に保持される。【００２２】
具体的には、前記形状保持部が前記外側規制部及び前記内側規制部により前記装置外部側に突出する円弧状の溝で構成されている場合において、平板状の前記カバー部材が前記形状保持部に沿って円弧状に形成されるため、前記カバー部材には前記装置外部側への復元力が生じる。【００２３】
一方で、前記形状保持部は前記カバー部材を円弧状に保持するため、前記カバー部材は、復元力により前記形状保持部に押し付けられる。このため、前記カバー部材と前記外側規制部との間に摩擦力が生じる。これにより、前記カバー部材が前記形状保持部に保持されながら、前記視認窓に対して固定され、例えば振動などによる外力が前記カバー部材に作用しても、前記カバー部材が前記視認窓から外れることを防止でき、収容空間への異物の浸入を防止できる。【００２４】
またこの発明の態様として、前記形状保持部は、前記カバー部材を前記装置外部に向かって突出する円弧状に形成してもよい。  
この発明により、前記カバー部材に対して外力が作用しても、前記収容空間に前記カバー部材が入り込むことを防止できる。【００２５】
詳述すると、前記カバー部材は装置外部に向けて凸状に形成されているため、前記装置外部側に向かう復元力を有する。これにより前記装置外部から前記カバー部材に外力が作用した場合であっても、前記カバー部材が前記収容空間側に入り込むことを防止できる。【００２６】
一方で、前記収容空間側から前記カバー部材に外力が作用した場合、前記外側規制部により前記カバー部材の装置外部側への移動が規制され、前記カバー部材が容易に外れることを防止できる。また、万が一外れたとしても、前記カバー部材は前記装置外部側に外れるため、前記カバー部材が前記収容空間内に入り込むことを防止できる。【００２７】
また、仮に前記視認窓を回転側リング板に設けた場合、前記カバー部材は上方側に向けて凸状に形成されているため、前記カバー部材には埃などの異物が留まりにくく、前記視認窓の視認性が低下することを防止できる。【００２８】
またこの発明の態様として、前記外側規制部と前記内側規制部とで、前記カバー部材を前記保持空間に案内する案内部を形成してもよい。  
この発明により、前記カバー部材は前記保持空間に案内されるため、より容易に前記視認窓に前記カバー部材を配置できる。【００２９】
またこの発明の態様として、前記カバー部材を係止する係止部を設けてもよい。  
この発明により、前記カバー部材を前記視認窓に対して係止できるため、前記カバー部材を安定して保持できるとともに、前記カバー部材が外れることを防止できる。なお、前記係止部は、例えば前記カバー部材の復元力を利用した構成や、前記カバー部材に別途係止部を設ける構成などを含む。【００３０】
またこの発明の態様として、前記係止部を、係止する前記カバー部材の位置において復元力が作用する方向に設けてもよい。  
この発明によると、可撓性を有する前記カバー部材の復元力を利用して前記カバー部材を係止することができるため、簡易な構成で前記カバー部材を係止できる。【００３１】
またこの発明の態様として、前記視認窓を、回転側リング板に設けてもよい。  
この発明により、前記回転コネクタ装置をコンビネーションスイッチなどに組み付けた状態であっても、前記収容空間に収容されたＦＦＣを確認することができる。すなわち、組み付けた状態における前記回転体の中立位置を確認できる。
【発明の効果】
【００３２】
この発明により、視認窓の視認性の低下を防止できる回転コネクタ装置及び回転コネクタ装置の組立方法を提供することができる。
【図面の簡単な説明】
【００３３】
【図１】第１実施形態の回転コネクタ装置の概略斜視図。
【図２】第１実施形態の回転コネクタ装置の概略分解斜視図。
【図３】図２におけるα部の拡大概略斜視図。
【図４】第１実施形態における、視認窓に対してカバー部材を保持するカバー部材保持部の説明図。
【図５】第１実施形態において視認窓に対してカバー部材を組み付ける組付け方法の説明図。
【図６】第２実施形態の回転コネクタ装置の概略斜視図。
【図７】第２実施形態におけるα部の拡大概略斜視図。
【図８】第２実施形態におけるカバー部材保持部の説明図。
【図９】第２実施形態において視認窓に対してカバー部材を組み付ける組付け方法の説明図。
【図１０】第２実施形態において視認窓に対してカバー部材を組み付ける組付け状態の説明図。
【図１１】他の実施形態における、カバー部材保持部の説明図。
【図１２】他の実施形態における、カバー部材保持部の説明図。
【発明を実施するための形態】
【００３４】
（第１実施形態）
この発明の第１実施形態における回転コネクタ装置本体２及び、回転コネクタ装置本体２に設けた視認窓４０にカバー部材５０を組付ける組付方法について、以下図１乃至図５に基づいて説明する。
【００３５】
図１は回転コネクタ装置１の概略斜視図を示し、図２は回転コネクタ装置１の概略分解斜視図を示す。ここで、ステータ２０に対するロテータ１０の方向を上方とし、ステータ２０に対するスリーブ３０の方向を下方とする。
【００３６】
図３は、図２におけるα部の拡大概略斜視図を示す、図４は視認窓４０に対してカバー部材５０を保持するカバー部材保持部６０の説明図を示し、図５は視認窓４０に対してカバー部材５０を組み付ける組付け方法の説明図を示す。  
詳しくは、図４（ａ）はカバー部材５０を組み付けた視認窓４０の平面図を示し、図４（ｂ）は図４（ａ）におけるＡ−Ａ断面図を示す。
【００３７】
回転コネクタ装置１は、回転コネクタ装置本体２にフレキシブルフラットケーブル１００（以下ＦＦＣ１００とする）を組み付けて構成されている。  
回転コネクタ装置本体２は、図１及び図２に示すように、ロテータ１０と、ロテータ１０の下方に位置してロテータ１０と組み付けるスリーブ３０と、ロテータ１０とスリーブ３０とで挟み込んで相対回転できるように組み付けたステータ２０とで構成され、ロテータ１０とステータ２０とで回転コネクタ装置本体２の内部に形成する収容空間ＳにはＦＦＣ１００が収納できる。
【００３８】
回転コネクタ装置本体２を構成するロテータ１０は、図２に示すように、平面視中央部分に略円形の貫通孔を有する略環状の回転側リング板１１と、回転側リング板１１の内周縁から下方に向けて形成される内周筒部１２とで一体に構成されている。
【００３９】
回転側リング板１１の上面には、回転コネクタ装置本体２の外部から収容空間Ｓへと連通する視認窓４０が設けられており、視認窓４０には透明で可撓性のあるカバー部材５０が組み付けられている（図３参照）。
【００４０】
また、回転側リング板１１の上面には、ロテータ１０の回転に伴って一体的に回転するロテータ側コネクタ１３が２つを設けられている。このロテータ側コネクタ１３は、収容空間Ｓに収容されたＦＦＣ１００の一端に装着された接続コネクタを収容する収容部であり、ステアリングホイールに配置されるホーンスイッチ、エアバッグユニットなどの外部機器の電気回路に接続されたケーブル（図示省略）のコネクタが外部から接続される。
【００４１】
このように構成されたロテータ１０と組み付けられるスリーブ３０は、図２に示すように、平面視中央部分において上下方向に貫通する貫通孔を有する略円筒体である。このスリーブ３０は、ロテータ１０とで上下方向から後述するステータ２０を挟み込んで組み付けられることで、回転側リング板１１の平面視中心軸を回転軸として、ロテータ１０とステータ２０とを時計回り、反時計回りに相対回転を可能にする。
【００４２】
ロテータ１０に対して相対回転可能なステータ２０は、上面の開口した有底略円筒体であり、底面を構成する固定側リング板２１と、外周面を構成する略円筒状の外周筒部２２と、ステータ２０から外側に突出した２つのステータ側コネクタ収容部２３とで構成されている。  
なお、本実施形態ではロテータ側コネクタ１３及びステータ側コネクタ収容部２３を２つとしているが、これに限定するものではなく、適宜その数を調整できる。
【００４３】
固定側リング板２１は、外径が回転側リング板１１の外径よりも僅かに大きく形成され、平面視中央部分に略円形の貫通孔を有する円環状の板状体である。  
外周筒部２２は、固定側リング板２１の外周縁から上方向に延びる円筒形の外周壁である。
【００４４】
ステータ側コネクタ収容部２３は、収容空間Ｓに収容されたＦＦＣ１００の他端に装着された接続コネクタを収容する収容部であり、コンビネーションスイッチ側の外部コネクタあるいはインパネ側と接続可能に形成している。
【００４５】
このように構成されるロテータ１０とステータ２０とは、組付けた状態で回転側リング板１１及び内周筒部１２と、固定側リング板２１及び外周筒部２２とでＦＦＣ１００を収容する収容空間Ｓを形成する。
【００４６】
次に、回転側リング板１１の上面に設けられた視認窓４０と、視認窓４０に対して組み付けられたカバー部材５０と、視認窓４０に対してカバー部材５０を保持するカバー部材保持部６０について、図３及び図４に基づいて説明する。
【００４７】
視認窓４０は、図３乃至図４（ａ）、（ｂ）に示すように、回転側リング板１１を上下方向に貫通させた矩形状の窓であり、視認窓４０の長手方向Ｘに沿った長手窓枠４１及び短手方向Ｙに沿った短手窓枠４２とで形成されている。
【００４８】
ここで、視認窓４０の長手方向を長手方向Ｘとし、視認窓４０の短手方向を短手方向Ｙとする。この長手方向Ｘは、視認窓４０の長手方向Ｘの中心における、回転側リング板１１の径方向に対する接線方向である。短手方向Ｙは長手方向Ｘと平面視において直交する方向をさす。
【００４９】
また、長手方向Ｘ内側とは長手方向Ｘに沿って視認窓４０側に向かう方向をさし、長手方向Ｘ外側とは長手方向Ｘに沿って視認窓４０から遠ざかる方向をさす。短手方向Ｙ内側は、短手方向Ｙにおける回転側リング板１１の径方向内側をさし、短手方向Ｙ外側は短手方向Ｙにおける回転側リング板１１の径方向外側をさす。
【００５０】
カバー部材５０は、透明で可撓性を有する樹脂製の板状体であり、その厚みは回転側リング板１１の上面に対する後述する外側規制部６２３の底面との高さと略同じとなるように構成されている。また、カバー部材５０の短手方向Ｙの長さは対応する視認窓４０の長さよりも長く、長手方向Ｘの長さは後述する連結部６１１同士の間隔よりも十分に長く構成されている。
【００５１】
カバー部材保持部６０は、図３及び図４に示すように、視認窓４０の内側に設けられた内側規制部６１と、視認窓４０の長手方向Ｘ外側に設けられた外側保持部６２とで構成されている。
【００５２】
内側規制部６１は、視認窓４０に関して互いに対向して配置された第一内側規制部６１ｘと第二内側規制部６１ｙとを有し、第一内側規制部６１ｘと第二内側規制部６１ｙとの間の第二最短距離Ｌ２は、カバー部材５０が視認窓４０に配置された状態において第二最短距離Ｌ２に対向するカバー部材５０の長さＬ３より短くなるように構成されている。
【００５３】
内側規制部６１は、図４（ａ）及び図４（ｂ）に示すように、視認窓４０の内側において長手窓枠４１同士を短手方向Ｙに沿って連結する連結部６１１と、連結部６１１から長手方向Ｘ外側に向けて突出する２つの内側突出部６１２とで構成されており、内側突出部６１２の上面の長手方向Ｘ外側には、長手方向Ｘ外側に向けて先細りするテーパ面で構成された内側案内部６１３が設けられている。なお、この連結部６１１は回転側リング板１１と同じ厚みで構成されている。ただし、この連結部６１１は本実施形態において回転側リング板１１と同じ厚みとしているが、この厚みに限定するものでなく、適宜変更できる。
【００５４】
内側突出部６１２は、平面視で連結部６１１の板幅と同じ長さだけ連結部６１１から長手方向Ｘ外側に向けて突出した凸状体である。この内側突出部６１２は、連結部６１１から２つ突出しており、それぞれ短手方向Ｙ内側及び短手方向Ｙ外側に形成された長手窓枠４１から所定の間隔を隔てた位置に配置されている。すなわち、２つの内側突出部６１２は、平面視において、連結部６１１の長手方向Ｘ中心線に対して線対称となるように長手方向Ｘ外側に等間隔で突出している。
【００５５】
外側保持部６２は、図３及び図４に示すように、視認窓４０の短手方向Ｙの両端において長手方向Ｘに沿って形成された長手側枠６２１と、視認窓４０の長手方向Ｘの両端において短手方向Ｙに沿って形成された短手側枠６２２と、短手側枠６２２の中央から長手方向Ｘ内側に突出する外側規制部６２３と、外側規制部６２３の長手方向Ｘ内側端部からは等間隔で並んだ３つの規制突出部６２４とで構成されている。
【００５６】
外側規制部６２３は、視認窓４０に関して互いに対向して配置された第一外側規制部６２３ｘと第二外側規制部６２３ｙとを有し、第一外側規制部６２３ｘと第二外側規制部６２３ｙとの間の第一最短距離Ｌ１は、カバー部材５０が視認窓４０に配置された状態において第一最短距離Ｌ１に対向するカバー部材５０の長さＬ３より短くなるように構成されている。
【００５７】
長手側枠６２１及び短手側枠６２２は、図４（ａ）及び図４（ｂ）に示すように、高さが回転側リング板１１の板厚と同じとなるように回転側リング板１１の上面から上方に立設した枠体であり、平面視において視認窓４０を囲繞するように設けられている。
【００５８】
詳述すると、長手側枠６２１は長手窓枠４１よりも短手方向Ｙの両端側に配置されており（図４（ａ）参照）、短手側枠６２２は長手方向Ｘ内側端部が短手窓枠４２と面一となる位置に配置されている（図４（ｂ）参照）。このため、平面視において長手側枠６２１の短手方向Ｙ内側には回転側リング板１１が確認できる。  
なお、長手側枠６２１及び短手側枠６２２の高さを回転側リング板１１の板厚と同一としているが、これに限定されるわけではなく、適宜高さを調整できる。
【００５９】
外側規制部６２３は、図４（ｂ）に示すように、短手側枠６２２と上面が面一となるように短手側枠６２２の中央部分から長手方向Ｘ内側に突出した板状体であり、板厚が短手側枠６２２の高さからカバー部材５０の板厚を引いた長さとなるように構成されている。
また、短手方向Ｙに沿った外側規制部６２３の長さは、対応する視認窓４０の長さと略同一の長さで構成されている。  
なお、外側規制部６２３の板厚や短手方向の長さは、上述の板厚に限定されず、適宜調整できる。
【００６０】
規制突出部６２４は、外側規制部６２３の短手方向Ｙの両端と短手方向Ｙの中央部分の３か所から長手方向Ｘ内側に向けて突出した凸部であり、それぞれ短手方向Ｙに沿って所定の間隔を隔てて配置している。また、規制突出部６２４の長手方向Ｘ内側底面には、長手方向Ｘ外側に向かうにつれて先細りするテーパ面で構成された外側案内部６２５が設けられている。
【００６１】
このように構成された３つの規制突出部６２４は、平面視において外側規制部６２３と対向するように配置された連結部６１１から突出する２つの内側突出部６１２と互いに噛み合うように配置されている（図４（ａ）参照）。また規制突出部６２４の先端は、内側突出部６１２の先端よりも長手方向Ｘ内側に配置されている。
【００６２】
このように構成された内側規制部６１と外側規制部６２３との間には、カバー部材５０を挿通して保持できる保持空間Ｔが形成される（図４（ｂ）参照）。  
なお、本実施形態では、カバー部材５０の厚みを外側規制部６２３の底面と回転側リング板１１の上面との高さの差と同じに構成されているが、必ずしもこの厚みである必要はなく、カバー部材５０の厚みを外側規制部６２３の底面と回転側リング板１１との高さの差よりも薄くしてもよい。
【００６３】
次に、上述のように構成されたカバー部材保持部６０に対してカバー部材５０を保持させて、視認窓４０にカバー部材５０を組み付ける組付け方法について、図５に基づいて簡単に説明する。
【００６４】
はじめに、図５（ａ）に示すように、短手方向Ｙから視てカバー部材５０が上方に向けて凸状となるように外力を作用させて撓ませ、カバー部材５０の長手方向Ｘ側両端が保持空間Ｔに挿通可能な位置となるように、カバー部材５０を配する。なお、カバー部材５０の長手方向Ｘの長さは連結部６１１同士の間隔よりも十分に長いため、屈曲させた状態でカバー部材５０の長手方向Ｘ側両端辺は保持空間Ｔの位置に配すことができる。
【００６５】
この状態でカバー部材５０に作用させた外力を解除することにより、カバー部材５０が元の板状体に戻ろうとする復元力Ｆが作用し、カバー部材５０が保持空間Ｔに挿通されることとなる（図５（ｂ）参照）。このとき、内側案内部６１３及び外側案内部６２５により、カバー部材５０の端辺は保持空間Ｔに案内される。
【００６６】
さらに、カバー部材５０の復元力Ｆにより、カバー部材５０が板状体に復元することで、カバー部材５０が内側規制部６１と、外側規制部６２３及び規制突出部６２４とで形成された保持空間Ｔに保持されることとなる（図５（ｃ）参照）。この状態において、カバー部材５０は内側規制部６１によって下方への移動を規制でき、同様に外側規制部６２３及び規制突出部６２４によって上方への移動を規制できる。
【００６７】
また、カバー部材５０の短手方向Ｙ両端部分は、回転側リング板１１に保持されるため、より確実にカバー部材５０を保持空間Ｔに保持できる。これにより、カバー部材５０を視認窓４０に確実に組み付けることができる。
【００６８】
なお、カバー部材５０の長手方向Ｘ外側の端面と短手窓枠４２とが当接してないが、カバー部材５０の両端部が対向配置された外側規制部６２３の下方にそれぞれ配置されていれば端面が短手窓枠４２と当接していてもよい。
【００６９】
本実施形態では、上述のように、外力を作用させて上方に向けて凸状となるように撓ませたカバー部材５０の端部を、保持空間Ｔに挿通可能な位置に配し、作用させている外力を解除するだけでカバー部材５０をカバー部材保持部６０に保持させて、視認窓４０にカバー部材５０を組み付けることができる。
【００７０】
このように構成された回転コネクタ装置本体２は、環状の回転側リング板１１及び回転側リング板１１の内周縁に形成された円筒状の内周筒部１２で構成するロテータ１０と、環状の固定側リング板２１及び固定側リング板２１の外周縁に形成された円筒状の外周筒部２２で構成するステータ２０とが、時計回り方向と反時計回り方向との両回転方向に相対回転自在に組み付けられ、内部にＦＦＣ１００を収容可能な収容空間Ｓを有し、収容空間Ｓと装置外部とを連通し、装置外部から収容空間Ｓを視認できる視認窓４０と、視認窓４０を塞ぐように配置された、透明かつ可撓性を有するカバー部材５０と、カバー部材５０の装置外部側（上方）への移動を規制する外側規制部６２３及び規制突出部６２４と、カバー部材５０の収容空間Ｓ側（下方）への移動を規制する内側規制部６１とで構成され、内側規制部６１と外側規制部６２３及び規制突出部６２４同士が、視認窓４０に対して互いに向き合うように配置されるとともに、外側規制部６２３及び規制突出部６２４と内側規制部６１との間に形成された保持空間Ｔにカバー部材５０が保持され、互いに向き合うように配置された内側規制部６１同士の間隔よりも、カバー部材５０の長手方向Ｘの長さが長く構成されていることにより、視認窓４０の視認性の低下を防止できる。
【００７１】
詳述すると、図５（ａ）乃至（ｃ）に示すように、外力を作用させて撓ませたカバー部材５０の端辺を保持空間Ｔに挿通可能な位置に配し、作用させた外力を解除することで、カバー部材５０は自己の復元力Ｆにより保持空間Ｔに挿通されるとともに、内側規制部６１と外側規制部６２３及び規制突出部６２４との間に滑り込むこととなるため、カバー部材５０は保持空間Ｔに対して保持される。
【００７２】
また、内側規制部６１と外側規制部６２３及び規制突出部６２４を備えるとともに、カバー部材５０の長手方向Ｘの長さが、互いに向き合うように配置された内側規制部６１の間隔よりも長く構成されているため、屈曲した状態でカバー部材５０を保持空間Ｔに挿通できるとともに、元の板状体で保持空間Ｔに保持されたカバー部材５０の上方や下方への移動が内側規制部６１や外側規制部６２３及び規制突出部６２４により規制できる。
【００７３】
以上のように、回転コネクタ装置本体２は、カバー部材５０を撓ませて保持空間Ｔに挿通させるだけで、容易にカバー部材５０を視認窓４０に配置できるとともに、視認窓４０に対してカバー部材５０を確実に保持することができるため、接着層などを用いる必要がない。したがって、接着層に異物やごみが付着することがなく、視認窓４０の視認性の低下を防止できる。
【００７４】
さらにまた、カバー部材５０を保持空間Ｔに挿通させるだけで、カバー部材５０を保持できるため、例えばカバー部材５０に接着層を塗布する必要がなく、視認窓４０に付着した接着剤が経年劣化により白濁して視界を遮ることを防止できる。
【００７５】
また、このように視認窓４０に対してカバー部材５０が確実に保持されているため、視認窓４０を通して収容空間Ｓを視認でき、収容空間Ｓに収容されているＦＦＣ１００の状態を確認することができる。すなわち、ＦＦＣ１００に設けた目印を視認でき、回転コネクタ装置本体２にＦＦＣ１００を収容した回転コネクタ装置１が中立位置で固定されているかを確認できる。また、カバー部材５０は視認窓４０を塞ぐように配置されているため、収容空間Ｓへの異物の浸入を防止できる。
【００７６】
また、内側規制部６１と外側規制部６２３及び規制突出部６２４が、視認窓４０に対して互いに向き合うように配置されているため、カバー部材５０の両端辺を保持空間Ｔに挿通できるとともに、互いに向き合うように配置された連結部６１１や外側規制部６２３及び規制突出部６２４により、カバー部材５０の長手方向Ｘ両端側で上方及び下方への移動を規制でき、カバー部材５０を保持空間Ｔにより安定して保持できる。
【００７７】
また、内側規制部６１と外側規制部６２３及び規制突出部６２４は、カバー部材５０を保持空間Ｔに案内する内側案内部６１３及び外側案内部６２５を備えていることにより、カバー部材５０を保持空間Ｔに案内でき、より容易に視認窓４０にカバー部材５０を配置できる。
【００７８】
さらにまた、視認窓４０を回転側リング板１１に設けることにより、回転コネクタ装置本体２にＦＦＣ１００を組み付けた回転コネクタ装置１をコンビネーションスイッチなどに組み付けた状態であっても、収容空間Ｓに収容されたＦＦＣ１００を確認できる。すなわち、コンビネーションスイッチなどに組み付けた状態におけるロテータ１０が、ステータ２０に対して中立位置にあることを確認できる。したがって、安全にステアリングホイールを回転コネクタ装置１に取り付けることができる。
【００７９】
さらにまた、視認窓４０に組み付けられたカバー部材５０は、カバー部材５０に外力を作用させて上方に撓ませながら装置外部に引っ張ることで、カバー部材５０の端辺を内側規制部６１と外側規制部６２３及び規制突出部６２４との間から外すことができ、視認窓４０に対してカバー部材５０を取り外すことができる。このように、カバー部材５０は、上方に凸状となるように撓ませて装置外側に引っ張ることで、容易にカバー部材５０を容易に交換できる。
【００８０】
また、本実施形態１のように外側保持部６２を回転側リング板１１から装置外部（上方）側に立設させる必要はなく、外側保持部６２を回転側リング板１１から収容空間Ｓ側に立設させてもよい。
【００８１】
（第２実施形態）  
次に、図６乃至図１０に基づいて、カバー部材保持部６０の他の実施形態であるカバー部材保持部７０を備えた回転コネクタ装置１ｂ（回転コネクタ装置本体２ｂ）について説明する。  
なお、以下で説明する回転コネクタ装置１ｂ（回転コネクタ装置本体２ｂ）の構成のうち、上述の回転コネクタ装置１及び回転コネクタ装置本体２と同様の構成については、同一の符号を付して、その説明を省略する。
【００８２】
図６は回転コネクタ装置１ｂの概略斜視図を示し、図７は、回転コネクタ装置本体２ｂにおける図６のα部の拡大図を示し、図８はカバー部材保持部７０の構成を説明する説明図を示し、図９はカバー部材保持部７０に対してカバー部材５０を組み付ける組付け方法の説明図を示し、図１０は図８（ａ）におけるＢ−Ｂ断面図を示す。
【００８３】
詳しくは、図８（ａ）はカバー部材５０を組み付けたカバー部材保持部７０の平面図を示し、図８（ｂ）は、カバー部材保持部７０を短手方向Ｙから視た側面図を示し、図８（ｃ）は図８（ｂ）におけるＣ−Ｃ断面図を示す。また、図９（ａ）はカバー部材保持部７０に対してカバー部材５０を組み付ける前の状態を示した概略斜視図を示し、図９（ｂ）はカバー部材保持部７０に対してカバー部材５０を組み付けている途中の状態を示した概略斜視図を示す。  
なお、図９において回転側リング板１１、視認窓４０、カバー部材５０及びカバー部材保持部７０以外の構成については省略する。
【００８４】
回転コネクタ装置本体２ｂにおける回転側リング板１１には、図７及び図８（ａ）に示すように、視認窓４０と、視認窓４０に対してカバー部材５０を保持するカバー部材保持部７０が設けられている。
【００８５】
このカバー部材保持部７０は、図７及び図８（ａ）に示すように、視認窓４０に対応する箇所に形成されるとともに、視認窓４０に対応する箇所には上下方向に貫通する貫通孔が設けられた半円を底面とした略円柱体であり、円弧型内側規制部７１と、円弧型内側規制部７１の外周を覆う円筒体である円弧型外側規制部７２とで構成されている。
【００８６】
円弧型内側規制部７１は、図８（ｂ）及び図８（ｃ）に示すように、径が長手方向Ｘにおける視認窓４０の長さよりも長い上方に向けて凸状となる半円を底面として、高さが短手方向Ｙに沿って延びる円柱体であり、視認窓４０に対応する箇所において上下方向に貫通する貫通孔が設けられている。また、円弧型内側規制部７１の短手方向Ｙの両端側上面には、視認窓４０に向かうにつれて先細りするテーパ面で構成された内側円弧案内部７３が設けられている。
【００８７】
円弧型外側規制部７２は、内周が円弧型内側規制部７１の径よりも、カバー部材５０の板厚分だけ拡径された半円環を底面とし、高さが短手方向Ｙの沿って延びる筒状体であり、平面視において視認窓４０と対応する部位に上下方向に貫通した貫通孔が形成されている。また、円弧型外側規制部７２の短手方向Ｙの両端側下面には、視認窓４０に向かうにつれて先細りするテーパ面で構成された外側円弧案内部７４が設けられている。  
なお、円弧型内側規制部７１及び円弧型外側規制部７２の短手方向Ｙの長さは対応する視認窓４０の短手方向Ｙの長さよりも長い。
【００８８】
このように形成されたカバー部材保持部７０は、図８（ｂ）及び図８（ｃ）に示すように、円弧型外側規制部７２と円弧型内側規制部７１との間に短手方向Ｙに沿ってカバー部材５０の板厚と同じ間隔を有する保持空間Ｔが形成されるとともに、円弧型内側規制部７１と円弧型外側規制部７２との短手方向Ｙの両端側にはカバー部材５０を挿通可能な円弧状の挿通孔Ｇが形成されているため、カバー部材５０を挿通させてカバー部材保持部７０に保持することができる。
【００８９】
詳述すると、外力を作用させて上方に向けて凸状の半円の円管状に撓ませたカバー部材５０を、短手方向Ｙ外側から短手方向Ｙ内側に向けて挿通孔Ｇに挿通させて（図９（ａ）参照）、短手方向Ｙに押し込むことにより（図９（ｂ）参照）、保持空間Ｔにカバー部材５０を保持でき、カバー部材５０をカバー部材保持部７０に組み付けることができる。
【００９０】
このようにカバー部材保持部７０に組み込まれたカバー部材５０は、円管状に撓ませた外力が解除されることとなるため、元の板状体に戻ろうとする復元力Ｆが作用することとなる。しかしながら、復元力Ｆによりカバー部材５０は円弧型外側規制部７２の内周面に押し付けられることとなり、カバー部材５０を円弧型外側規制部７２の内周面との間に摩擦力が生じて、カバー部材５０はカバー部材保持部７０に固定されることとなる（図１０参照）。
【００９１】
換言すると、カバー部材５０に作用する復元力Ｆにより、カバー部材５０はカバー部材保持部７０に係止されるため、カバー部材５０は視認窓４０を確実に塞ぐとともに、視認窓４０に対して保持される。
【００９２】
このように構成された回転コネクタ装置１ｂは、環状の回転側リング板１１及び回転側リング板１１の内周縁に形成された円筒状の内周筒部１２で構成するロテータ１０と、環状の固定側リング板２１及び固定側リング板２１の外周縁に形成された円筒状の外周筒部２２で構成するステータ２０とが、時計回り方向と反時計回り方向との両回転方向に相対回転自在に組み付けられ、内部にＦＦＣ１００を収容可能な収容空間Ｓを有し、収容空間Ｓと装置外部とを連通し、装置外部から収容空間Ｓを視認できる視認窓４０と、視認窓４０を塞ぐように配置された、透明かつ可撓性を有するカバー部材５０と、カバー部材５０の装置外部側への移動を規制する円弧型外側規制部７２と、カバー部材５０の収容空間Ｓ側への移動を規制する円弧型内側規制部７１とで構成され、円弧型内側規制部７１及び円弧型外側規制部７２が視認窓４０に対して互いに向き合うように配置されるとともに、円弧型内側規制部７１と円弧型外側規制部７２との間に形成された保持空間Ｔにカバー部材５０が保持され、互いに向き合うように配置された円弧型内側規制部７１同士の間隔よりもカバー部材５０の長手方向Ｘの長さのほうが長く構成されており、実施形態１で記載した回転コネクタ装置１と同様の効果を有する。
【００９３】
加えて、円弧型外側規制部７２が、カバー部材５０を上方に突出する円弧形状に保持するように構成されることにより、可撓性を有するカバー部材５０に円弧形状の径外側、すなわちカバー部材５０の底面から上面に向けて作用する復元力Ｆが生じる。一方、円弧型外側規制部７２は、カバー部材５０の形状を円弧状に保持するように構成されているため、復元力Ｆにより上方に広がるカバー部材５０に対して、円弧状を保持する外力が復元力Ｆの作用する方向と逆方向に作用する。このため、カバー部材５０と円弧型外側規制部７２との間に摩擦力が生じる。
【００９４】
これにより、カバー部材５０は円弧型外側規制部７２により形状を保持されながら、視認窓４０に対して固定され、不意の外力がカバー部材５０に作用しても、カバー部材５０が視認窓４０から外れることを防止でき、収容空間Ｓの内部に異物が浸入することを防止できる。
【００９５】
また、カバー部材５０は上方に向けて凸状の円弧で形成されていることから、カバー部材５０の底面から上面に向けて作用する復元力Ｆを有する。このためカバー部材５０に対して下方に向かう外力が作用した場合であっても、カバー部材５０が収容空間Ｓ側に入り込むことを抑制できる。
【００９６】
一方で、収容空間Ｓ側からカバー部材５０に外力が作用した場合、円弧型外側規制部７２によりカバー部材５０の装置外部側への移動は規制されているため、カバー部材５０は容易に外れることを規制できるとともに、万が一外れたとしても、カバー部材５０は上方に外れるため、カバー部材５０が収容空間Ｓ側に入り込むことを抑制できる。
【００９７】
また、円弧型内側規制部７１と円弧型外側規制部７２とにそれぞれ内側円弧案内部７３及び外側円弧案内部７４が形成されることにより、容易にカバー部材５０を挿通孔Ｇに案内でき、より容易に視認窓４０にカバー部材５０を配置できる。
【００９８】
さらにまた、円弧型外側規制部７２はカバー部材５０の復元力Ｆを利用して係止されるため、カバー部材５０をカバー部材保持部７０に確実に係止できる。これにより、カバー部材５０を視認窓４０に対して安定して保持できるとともに、視認窓４０に対してカバー部材５０を固定できるため、カバー部材５０が外れることを防止できる。
【００９９】
加えて、円弧型外側規制部７２は、係止するカバー部材５０の位置において復元力Ｆが作用する方向に設けることで、可撓性を有するカバー部材５０の復元力Ｆを利用してカバー部材５０を係止することができるため、簡易な構成でカバー部材５０の抜け止めができる。
【０１００】
この発明の構成と、上述の実施形態との対応において、
回転体は、ロテータ１０に対応し、
固定体は、ステータ２０に対応し、
回転コネクタは、回転コネクタ装置本体２、２ｂに対応し、
内側規制部は、内側規制部６１及び円弧型内側規制部７１に対応し、
外側規制部は、外側規制部６２３及び規制突出部６２４、円弧型外側規制部７２に対応し、
形状保持部は、円弧型外側規制部７２に対応し、
案内部は、内側案内部６１３及び外側案内部６２５、内側円弧案内部７３及び外側円弧案内部７４に対応するが、
この発明は、上述の実施形態の構成のみに限定されるものではなく、多くの実施の形態を得ることができる。
【０１０１】
例えば、視認窓４０は、回転側リング板１１に設けているが、装置外部から収容空間Ｓを視認できれば配置位置は限定されず、例えば、固定側リング板２１、内周筒部１２、外周筒部２２の他、回転側リング板１１と内周筒部１２とが形成する角部などに配置してもよく、また、視認窓４０の形状も特に限定されず、矩形状の他、多角形状、円形状、楕円形状、扇形状など様々な形状にしてもよい。
【０１０２】
さらにまた、本実施形態１及び本実施形態２では、内側規制部６１や円弧型内側規制部７１などを短手方向Ｙに沿って設けているが、長手方向Ｘに沿って設けてもよく、さらには長手方向Ｘと交差する方向に設けてもよい。
【０１０３】
また、本実施形態１及び実施形態２では、一対の内側規制部６１及び外側規制部６２３や、円弧型内側規制部７１及び円弧型外側規制部７２などが視認窓４０に対して互いに向き合うように配置される構成としているが、例えば実施形態１において、視認窓４０の長手方向Ｘ方向外側及び短手方向Ｙ内側に沿った『コ』の字状の内側規制部６１を設ける場合のように、内側規制部６１が１つでもよく、また外側規制部６２３が１つでもよい。
【０１０４】
また本実施形態１では、カバー部材５０を平板状にして視認窓４０に対して配置する構成としているが、図１１及び図１２に示すように、カバー部材５０を円弧状に形成することもできる。  
ここで図１１及び図１２は、それぞれ本実施形態１の他の実施形態におけるカバー部材保持部６０ｃ及びカバー部材保持部６０ｄを示し、図１１（ａ）は他の実施形態における視認窓４０の平面図を示し、図１１（ｂ）はカバー部材５０を保持空間Ｔに保持する前の図１１（ａ）におけるＥ−Ｅ断面図を示し、図１１（ｃ）は、カバー部材５０を保持した状態のＥ−Ｅ断面図を示し、図１２（ａ）は図１１とは異なる実施形態における視認窓４０の平面図を示し、図１２（ｂ）はカバー部材５０を保持した状態における図１２（ａ）におけるＦ−Ｆ断面図を示す。
【０１０５】
例えば、図１１に示す実施形態では、内側規制部６１に対応する内側規制部６１ｃの上面を所定の曲率を有する円弧状に形成するとともに、外側規制部６２３に対応する外側規制部６２３ｃの底面を所定の曲率を有する円弧状に形成し、長手方向Ｘ外側から長手方向Ｘ内側に向けて、外側規制部６２３ｃ、内側規制部６１ｃの順で配置した構成である（図１１（ａ）及び図１１（ｂ）参照）。  
また、長手窓枠４１の下端側には長手方向Ｘ内側に突出した突出部６７ｃが設けられている。
【０１０６】
このように構成されたカバー部材保持部６０ｃは、図１１（ｂ）に示すように、上方に凸状となるように外力を作用させて屈曲させたカバー部材５０を、保持空間Ｔに挿入させた後に外力を解除することで、カバー部材５０を保持空間Ｔに保持することができる。
【０１０７】
このとき、カバー部材５０の上面は外側規制部６２３ｃに当接するとともに、カバー部材５０の底面が内側規制部６１ｃと当接する。また、カバー部材５０の長手方向Ｘ外側両端辺は係止部として機能する短手窓枠４２ｃに係止されるため、カバー部材５０は上方に凸状となる円弧形状のまま保持空間Ｔに保持される（１０（ｃ）参照）。
【０１０８】
なお、内側規制部６１ｃと外側規制部６２３ｃの曲率は同じ曲率としてもよいが、内側規制部６１ｃの曲率を外側規制部６２３ｃの曲率よりも大きくすることで、カバー部材５０を内側規制部６１ｃと外側規制部６２３ｃとで把持することができ、確実にカバー部材５０を固定できる。
【０１０９】
またカバー部材保持部６０ｄは、図１２（ａ）及び図１２（ｄ）に示すように、内側規制部６１に対応する内側規制部６１ｄの上面を所定の曲率を有する円弧状に形成するとともに、外側規制部６２３に対応する外側規制部６２３ｄの底面を所定の曲率を有する円弧状に形成され、長手方向Ｘ外側から長手方向Ｘ内側に向けて、外側規制部６２３ｄ、内側規制部６１ｄの順で配置されている。  
なお、外側規制部６２３ｄは、短手窓枠４２から視認窓４０側に突出しているものの短手窓枠４２同士を連結していない（図１２（ａ）参照）。
【０１１０】
このように構成されたカバー部材保持部６０ｄは、図１２（ｂ）に示すように、保持空間Ｔを通して配置されたカバー部材５０は下方に凸状の円弧形状に形成されるため、自己の復元力により、上面が外側規制部６２３ｄに当接するとともに、底面が内側規制部６１ｄと当接する。また、カバー部材５０の長手方向Ｘ外側両端辺は係止部として機能する短手窓枠４２に係止されるため、カバー部材５０は保持空間Ｔに保持されることとなる。
【０１１１】
なお、内側規制部６１ｄと外側規制部６２３ｄの曲率は同じ曲率としてもよいが、外側規制部６２３ｄの曲率を内側規制部６１ｄの曲率よりも大きくすることで、カバー部材５０を内側規制部６１ｄと外側規制部６２３ｃとで把持することができ、確実にカバー部材５０を固定できる。
【０１１２】
また、上述に記載の構成は、本発明の効果である、カバー部材５０を容易に視認窓４０に組み付けることができる効果を得ることができる限りにおいて、それぞれ組み合わせることができる。
【符号の説明】
【０１１３】
２、２ｂ      回転コネクタ装置本体
１０    ロテータ
１１    回転側リング板
１２    内周筒部
２０    ステータ
２１    固定側リング板
２２    外周筒部
４０    視認窓
５０    カバー部材
６１、６１ｃ、６１ｄ  内側規制部
６１ｘ、６１ｃｘ、６１ｄｘ  第一内側規制部
６１ｙ、６１ｃｙ、６１ｄｙ  第二内側規制部
６１３  内側案内部
６２３、６２３ｃ、６２３ｄ  外側規制部
６２３ｘ、６２３ｃｘ、６２３ｄｘ  第一外側規制部
６２３ｙ、６２３ｃｙ、６２３ｄｙ  第二外側規制部
６２４  規制突出部
６２５  外側案内部
Ｌ１    第一最短距離
Ｌ２    第二最短距離
Ｌ３    カバー部材の長さ
７１    円弧型内側規制部
７２    円弧型外側規制部
７３    内側円弧案内部
７４    外側円弧案内部
Ｓ      収容空間
Ｔ      保持空間
【図１】
2019070012.tif 000003
【図２】
2019070012.tif 000004
【図３】
2019070012.tif 000005
【図４】
2019070012.tif 000006
【図５】
2019070012.tif 000007
【図６】
2019070012.tif 000008
【図７】
2019070012.tif 000009
【図８】
2019070012.tif 000010
【図９】
2019070012.tif 000011
【図１０】
2019070012.tif 000012
【図１１】
2019070012.tif 000013
【図１２】
2019070012.tif 000014
【国際調査報告】
2019070012.tif 000015
2019070012.tif 000016
2019070012.tif 000017